(57)【要約】【課題】  フロアコンセント装置において、床下配線をより好適な経路で配索する。【解決手段】  コネクタブロック１５を備えた可動体４が床面上に突出した突出状態と、当該可動体４が床面下に収納された収納状態とを切り替えることができるポップアップ型のフロアコンセント装置１において、コネクタブロック１５に接続する床下配線１４の配索経路を規制するガイド構造として、切欠２３ａや棚部３０を設けた。【選択図】      図５
2006204046.tif 000002
【特許請求の範囲】
【請求項１】
開口部を有して床面上に装着されるフロアプレートと、
コネクタブロックを有し、当該コネクタブロックが前記開口部から床面上に突出して当該コネクタブロックにコネクタを締結可能な突出状態と、当該コネクタブロックが床面下に収納された収納状態とが切り替え可能となるように前記フロアプレートに支持される可動体と、
を備えるフロアコンセント装置において、
前記コネクタブロックに接続する配線の配索経路を規制するガイド構造を設けたことを特徴とするフロアコンセント装置。
【請求項２】
前記可動体は、
天板部と、
前記天板部の裏面に立設され、前記コネクタブロックが嵌め込まれる前枠部と、
前記前枠部の後方に設けられたリブと、
を有し、
前記ガイド構造として、前記リブに凹凸を形成したことを特徴とする請求項１に記載のフロアコンセント装置。
【請求項３】
前記可動体は、前記前枠部に嵌め込まれたコネクタブロックの側面を覆い隠すように前記天板部の裏面に立設される一対の側板部を備え、
前記ガイド構造として、前記側板部の内壁に棚部を形成したことを特徴とする請求項２に記載のフロアコンセント装置。
【請求項４】
前記前枠部に嵌め込まれたコネクタブロックを下側から押さえるとともに、前記リブとともに配線を狭持する固定部材を設けたことを特徴とする請求項２または３に記載のフロアコンセント装置。
【請求項５】
前記前枠部に嵌め込まれた複数のコネクタブロックのうち少なくとも一つと床下の配線とを電気的に接続するための端子台を前記フロアプレートに固定し、
前記収納状態で前記側板部の内壁と端子台の側壁との間に、当該端子台に接続されるコネクタブロックとは別のコネクタブロックに接続される配線を配索する間隙を形成したことを特徴とする請求項２〜４のうちいずれか一つに記載のフロアコンセント装置。
【請求項６】
前記間隙を、端子台の両側方に形成したことを特徴とする請求項５に記載のフロアコンセント装置。
【請求項７】
配索用チューブを備え、配線を、当該配索用チューブに挿通した状態で配索することを特徴とする請求項１〜６のうちいずれか一つに記載のフロアコンセント装置。
【発明の詳細な説明】
【技術分野】
【０００１】
本発明は、床に設置されるポップアップ型のフロアコンセント装置に関する。
【背景技術】
【０００２】
従来のこの種のフロアコンセント装置は、コンセントを備えた可動体がフロアプレートの開口部から床面上に突出した突出状態と、当該可動体が床面下に収納された収納状態とを切り替えることができるように構成されている（例えば特許文献１）。
【０００３】
この種のフロアコンセント装置は、床下配線をコンセントに接続した後、床に埋設された収納ボックスの上部開口を塞ぐようにフロアプレートを固定するという手順で施工される。ここで、特許文献１に開示されるフロアコンセント装置では、配線接続用の端子台を設け、床下配線をコンセントに比較的容易に接続できるようにしてある。
【特許文献１】実開昭５６−１００８７０号公報
【発明の開示】
【発明が解決しようとする課題】
【０００４】
ところで、近年、この種のフロアコンセント装置として、電源コンセントや、電話用コネクタ、ＬＡＮコネクタ等、複数種類のコネクタブロックを並列に設けたものが実用化されている。かかるフロアコンセント装置では、複数のコネクタブロックのそれぞれに端子台を設置すると装置が大型化するため、全てのコネクタブロックについて端子台を設けるのではなく、いずれか一つのコネクタブロックについてのみ端子台を設ける場合が多い。
【０００５】
また、端子台の設置スペースの有無に拘わらず端子台を用いない場合もあり、最初から端子台自体が設けられていないフロアコンセント装置もある。
【０００６】
しかしながら、このように端子台を用いずに床下配線とコネクタブロックとを接続する場合には、配線の配索経路が定まらない区間が長くなり、可動体を突出状態と収納状態との間で動かすときに、配線が、フロアプレートや収納ボックス等の固定部分と可動体との間に挟まれたり押し潰されたりして、可動体が回動しにくくなったり導通不良が生じたりするおそれがあった。
【０００７】
そこで、本発明は、フロアコンセント装置において、床下配線をより好適な経路で配索することを目的とする。
【課題を解決するための手段】
【０００８】
請求項１の発明にあっては、開口部を有して床面上に装着されるフロアプレートと、コネクタブロックを有し、当該コネクタブロックが上記開口部から床面上に突出して当該コネクタブロックにコネクタを締結可能な突出状態と、当該コネクタブロックが床面下に収納された収納状態とが切り替え可能となるように上記フロアプレートに支持される可動体と、を備えるフロアコンセント装置において、上記コネクタブロックに接続する配線の配索経路を規制するガイド構造を設けたことを特徴とする。
【０００９】
請求項２の発明にあっては、上記可動体は、天板部と、上記天板部の裏面に立設され、上記コネクタブロックが嵌め込まれる前枠部と、上記前枠部の後方に設けられたリブと、を有し、上記ガイド構造として、上記リブに凹凸を形成するのが好適である。
【００１０】
請求項３の発明にあっては、上記可動体は、上記前枠部に嵌め込まれたコネクタブロックの側面を覆い隠すように上記天板部の裏面に立設される一対の側板部を備え、上記ガイド構造として、上記側板部の内壁に棚部を形成するのが好適である。
【００１１】
請求項４の発明にあっては、上記前枠部に嵌め込まれたコネクタブロックを下側から押さえるとともに、上記リブとともに配線を狭持する固定部材を設けるのが好適である。
【００１２】
請求項５の発明にあっては、上記前枠部に嵌め込まれた複数のコネクタブロックのうち少なくとも一つと床下の配線とを電気的に接続するための端子台を上記フロアプレートに固定し、上記収納状態で上記側板部の内壁と端子台の側壁との間に、当該端子台に接続されるコネクタブロックとは別のコネクタブロックに接続される配線を配索する間隙を形成するのが好適である。
【００１３】
請求項６の発明にあっては、前記間隙を、端子台の両側方に形成するのが好適である。
【００１４】
請求項７の発明にあっては、配索用チューブを備え、配線を、当該配索用チューブに挿通した状態で配索するのが好適である。
【発明の効果】
【００１５】
請求項１の発明によれば、上記ガイド構造によって、配線の配索経路を規制することができるため、可動体の動作によって配線が挟まれたり押し潰されたりするのを抑制し、導通不良や可動体の動作不良等が生じるのを抑制することができる。
【００１６】
請求項２の発明によれば、上記リブに設けた凹凸をガイド構造とすることにより、配線の配索経路を規制する構成を比較的容易に得ることができる。
【００１７】
請求項３の発明によれば、上記側板部の内壁に設けた棚部をガイド構造とすることにより、配線の配索経路を規制する構成を比較的容易に得ることができる。
【００１８】
請求項４の発明によれば、上記固定部材とリブによって配線を狭持することにより、配線の配索経路をより確実に規制することができる。
【００１９】
請求項５の発明によれば、配線を上記間隙に配索することにより、端子台と可動体とによって配線が挟まれるのを抑制することができる。
【００２０】
請求項６の発明によれば、配線を上記端子台の両側方に形成した二箇所の間隙に配索することができるため、端子台を用いない配線の数が多い場合に有効である。
【００２１】
請求項７の発明によれば、上記配索用チューブを用いて配線を保護することができるため、導通不良等が生じるのをより一層抑制することができる。また、配線の絶縁性をより確実なものとすることができる。
【発明を実施するための最良の形態】
【００２２】
以下、本発明の実施形態について図面を参照しながら詳細に説明する。図１は、本実施形態にかかるフロアコンセント装置の可動体が収納された収納状態を示す斜視図、図２は、フロアコンセント装置の可動体が突出した突出状態を示す側面図、図３は、フロアコンセント装置の分解斜視図、図４は、可動体を裏面側から見た分解斜視図、図５は、フロアコンセント装置を床面下側から見た斜視図、また、図６は、フロアコンセント装置の背面図である。なお、本明細書では、可動体について上下および前後方向を規定することとし、図中、ＵＰは上側、ＤＯＷＮは下側、ＦＲは前側、またＲＲは後側を示す。
【００２３】
フロアコンセント装置１は、床２に対して固定されるフロアプレート３と、使用時に床面上に突出する可動体４とを備えている。可動体４を床面下に収納した収納状態（図１）においては、可動体４の天板部５の表面５ａとフロアプレート３の表面３ａとによって連接表面６が形成される。この連接表面６は、床２の表面とほぼ同じかあるいは僅かに高い位置に形成される。なお、連接表面６は、本実施形態ではほぼ平面となっているが、凹凸を有する面としても構わない。
【００２４】
図２に示すように、可動体４は、フロアプレート３にヒンジ部７を介して回動可能に支持されている。可動体４は、ヒンジ部７のシャフト８に巻回されたねじりバネ９によって突出側に付勢されており、フロアプレート３の表面３ａに設けられた操作子１０を動かして可動体４とフロアプレート３とのロックを解除すると、当該ねじりバネ９の付勢力によって、可動体４がフロアプレート３の開口部１１から突出するようになっている。なお、可動体４の側面にはストッパ１２が設けられており、このストッパ１２とフロアプレート３とが係合することにより、可動体４が所定の突出状態で静止するようになっている（図２）。また、可動体４とフロアプレート３とは、突出状態でもロックされ、操作子１０を動かしてこのロックを解除しない限り、可動体４を押し下げて収納状態に戻すことができないようになっている。
【００２５】
図２および図３に示すように、床２には、上部が開放された収納ボックス１３が固定されている。この収納ボックス１３の側壁には、指または工具によって打ち抜かれた穴１３ａが形成されており、床下配線１４は、この穴１３ａを介して収納ボックス１３内に引き込まれている。施工作業者は、この床下配線１４を、可動体４に装着された各コネクタブロック１５（１５ａ，１５ｂ）に電気的に接続した後、フロアコンセント装置１を収納ボックス１３に取り付ける。ここで、収納ボックス１３の相互に対向する側壁の上部には、それぞれネジ穴１６が形成された一対のフランジ１７が設けられており、フロアプレート３に設けられた貫通穴１８に挿通したネジ１９を当該ネジ穴１６に螺結することで、フロアコンセント装置１を収納ボックス１３に取り付けることができる。なお、螺結したネジ１９の頭部１９ａは、収納状態で天板部５によって覆われるようになっており、美観の向上が図られている。また、可動体４の天板部５より下側の部分は、収納状態において、収納ボックス１３内に収納されることになる。
【００２６】
図４〜図６に示すように、可動体４は、フレーム２０、コネクタブロック１５（１５ａ，１５ｂ）、および固定部材２４から構成されている。
【００２７】
フレーム２０は、略矩形の天板部５を備えている。この天板部５は、収納状態において、フロアプレート３の開口部１１の蓋部として機能する。なお、天板部５は他の形状（例えば円板状等）としてもよい。
【００２８】
天板部５の前部の裏面には、その下方に向けて開放された前枠部２１が立設されており、この前枠部２１に、複数のコネクタブロック１５が並べて嵌め込まれている。コネクタブロック１５としては、図に示す電源コネクタブロック１５ａや、電話コネクタブロック１５ｂの他にも、ＬＡＮコネクタブロックや、コネクタが形成されない単なるスペーサとしてのダミーブロック等、種々のものが準備され、用途に応じて、適宜選択して嵌め込むことができる上、配置する位置（順序）も適宜入れ替えできるようにしてある。なお、嵌め込まれた複数のコネクタブロック１５の前面（プラグ締結面）１５ａは、一連の平面を形成するようにしてある。
【００２９】
さらに、天板部５の側部の裏面には一対の側板部２２が立設され、前枠部２１に嵌め込まれたコネクタブロック１５の側面を覆い隠している。そして、これら一対の側板部２２の後部かつ下部に、リブ２３が架設されている。
【００３０】
固定部材２４は、前枠部２１に嵌め込まれたコネクタブロック１５を下側から押さえるものであり、具体的には、コネクタブロック１５の下方に隣接配置される略柱状の基体部２４ａと、基体部２４ａの後部かつ下部の両隅部から後方に伸びて上方に折れ曲がってリブ２３の近傍まで伸びる一対のアーム部２４ｂと、当該一対のアーム部２４ｂ間で架設されるリブ２４ｃとを有している。基体部２４ａの側面にはネジ穴２４ｄが設けられており、フレーム２０の側板部２２に穿設された貫通孔２２ａを挿通させたネジ２５をこのネジ穴２４ｄに螺結することで、固定部材２４をフレーム２０に取り付けることができるようになっている。そして、基体部２４ａの両側面には、フレーム２０の側板部２２の下端に設けられた切欠２２ｂを介して側板部２２より側外方に突出する突起として、ストッパ１２が設けられている。
【００３１】
一方、フロアプレート３の裏面には、コネクタブロック１５と床下配線１４とを電気的に接続するための端子台２６が固定されている。本実施形態では、端子台２６は、収納状態においてコネクタブロック１５の後方となる位置で、ブラケット２７を介してフロアプレート３に取り付けられている。ここで、本実施形態では、端子台２６の幅を可動体４の一対の側板部２２の内壁同士の幅より狭くし、収納状態で、端子台２６の両側に間隙２８が形成されるようにしてある。このように間隙２８を形成することで、可動体４が突出状態から収納状態に移動するときに、固定された端子台２６と回動する側板部２２との間に床下配線１４が挟まれるのを抑制することができる。なお、端子台２６は、複数のうちコネクタブロック１５のうちいずれか一つ（本実施形態では電源コネクタブロック１５ａ）と電気的に接続されており、床下配線１４を端子台２６に結線することで、そのコネクタブロック１５（１５ａ）と床下配線１４とを電気的に接続することができる。なお、端子台２６には、電源コネクタブロック１５ａのように、所謂強電用のコネクタブロック１５を接続し、より通電電力の大きい電気系統についてより容易にかつより確実に導通を確保するのが好適である。
【００３２】
そして、本実施形態にかかるフロアコンセント装置１は、コネクタブロック１５に接続する床下配線１４の配索経路を規制するガイド構造を備えている。
【００３３】
まず、リブ２３に凹凸を形成し、この凹凸をガイド構造として用いている。本実施形態では、この凹凸として、一対の側板部２２に隣接する二箇所に、略矩形状の切欠２３ａを形成している。この切欠２３ａに床下配線１４を挿通することで、その内側（側板部２２から離間する側）の壁２３ｂによって当該床下配線１４がそれより内側に配索されるのを規制することができる。床下配線１４がより内側に配索された場合、当該床下配線１４が端子台２６や他の床下配線１４等と重なり合って、可動体４が突出状態から収納状態に移動するのに障害となるおそれがあるが、床下配線１４を切欠２３ａに挿通することでそのような事態を抑制することができる。
【００３４】
また、本実施形態では、固定部材２４のアーム部２４ｂを切欠２３ａと対向する位置まで延設し、切欠２３ａに挿通された床下配線１４をリブ２３とアーム部２４ｂの端縁２４ｅとで狭持するようにしている。これにより、床下配線１４が切欠２３ａから外れてそれより内側に配索されるのをより確実に抑制することができる。
【００３５】
なお、本実施形態では、床下配線１４を、弾性を備えた配索用チューブ（例えば樹脂チューブやゴムチューブ等）２９に挿通した状態で配索し、床下配線１４の保護性を高めている。また、この配索用チューブ２９に挿通した状態で床下配線１４をリブ２３とアーム部２４ｂとで狭持することにより、この狭持による押圧によって床下配線１４に生じる応力を低減できるという利点もある。また、この配索用チューブ２９により、特に、電源ケーブル等の所謂強電用の床下配線１４と、ＬＡＮケーブル等の所謂弱電用の床下配線１４とが混在するような場合に、床下配線１４の絶縁をより確実なものとすることができる。
【００３６】
さらに、本実施形態では、側板部２２の内壁に棚部３０を形成し、この棚部３０をガイド構造として用いている。本実施形態では、側板部２２を、リブ２３から後端部までの間で内側に屈曲して突出させ、天板部５と略平行な棚部３０を、ヒンジ部７から離間した位置（ヒンジ部７より下側となる位置）に形成している。こうすることで、床下配線１４がヒンジ部７に近接してフロアプレート３と可動体４との間に挟まれるのを抑制することができる。
【００３７】
なお、図６に示すように、棚部３０の載置面３０ａと切欠２３ａの奥の縁２３ｃとを上下方向でほぼ同じ位置に形成し、切欠２３ａに挿通された床下配線１４が、より確実に棚部３０に沿って配索されるようにするのが好適である。
【００３８】
以上の本実施形態によれば、切欠２３ａや棚部３０等のガイド構造によって、床下配線１４の配索経路を規制することができるため、可動体４の動作によって床下配線１４が挟まれたり押し潰されたりするのを抑制し、導通不良や可動体４の動作不良等が生じるのを抑制することができる。
【００３９】
また、本実施形態によれば、リブ２３に設けた凹凸をガイド構造とすることにより、床下配線１４の配索経路を規制する構成を比較的容易に得ることができる。また、凹凸としての切欠２３ａを、側板部２２の内壁に隣接して設けることにより、床下配線１４が側板部２２から離れた内側に配索されて、端子台２６や他の床下配線１４と重なり合って、可動体４の動作の障害となるのを抑制することができる。
【００４０】
また、本実施形態によれば、側板部２２の内側に設けた棚部３０をガイド構造とすることにより、床下配線１４の配索経路を規制する構成を比較的容易に得ることができる。また、棚部３０を、ヒンジ部７から離間した位置に形成することで、床下配線１４がヒンジ部７に近接してフロアプレート３と可動体４との間に挟まれるのを抑制することができる。
【００４１】
また、本実施形態によれば、固定部材２４とリブ２３によって床下配線１４を狭持することにより、床下配線１４の配索経路をより確実に規制することができる。また、床下配線１４がコネクタブロック１５から抜けるのを抑制できるという利点もある。
【００４２】
また、本実施形態によれば、床下配線１４を間隙２８に配索することにより、端子台２６と可動体４とによって床下配線１４が挟まれるのを抑制することができる。
【００４３】
また、本実施形態によれば、床下配線１４を端子台２６の両側方に形成した二箇所の間隙２８に配索することができるため、端子台２６を用いない床下配線１４の数が多い場合に特に有効である。
【００４４】
また、本実施形態によれば、配索用チューブ２９を用いて床下配線１４を保護することができるため、導通不良等が生じるのをより一層抑制することができる。また、固定部材２４とリブ２３によって床下配線１４を狭持する場合に、この狭持による押圧によって床下配線１４に生じる応力を低減することができるという利点もある。また、配線の絶縁性をより確実なものとすることができる。
【００４５】
以上、本発明の好適な実施形態について説明したが、本発明は上記実施形態に限定されるものではなく、要旨を逸脱しない範囲で上記実施形態に種々の改変を施すことができる。例えば、切欠の形状は、半円状等、他の形状としてもよいし、切欠以外の凹凸形状を用いてもよい。また、側板部を折り曲げるのではなく、当該側板部から内側に突出させた部分を棚部としてもよい。また、収納ボックスの床への固定については、パネル式の床の場合には当該パネルに取り付けたり、コンクリート床の場合には当該コンクリート床に埋め込む等、種々の形態を取りうる。
【図面の簡単な説明】
【００４６】
【図１】本発明の実施形態にかかるフロアコンセント装置の可動体が収納された収納状態を示す斜視図。
【図２】本発明の実施形態にかかるフロアコンセント装置の可動体が突出した突出状態を示す側面図。
【図３】本発明の実施形態にかかるフロアコンセント装置の分解斜視図。
【図４】本発明の実施形態にかかるフロアコンセント装置の可動体を裏面側から見た分解斜視図。
【図５】本発明の実施形態にかかるフロアコンセント装置を床面下側から見た斜視図。
【図６】本発明の実施形態にかかるフロアコンセント装置の背面図。
【符号の説明】
【００４７】
１  フロアコンセント装置
２  床
３  フロアプレート
４  可動体
５  天板部
６  連接表面
１１  開口部
１４  床下配線（配線）
１５，１５ａ，１５ｂ  コネクタブロック
２１  前枠部
２２  側板部
２３  リブ
２３ａ  切欠（凹凸、ガイド構造）
２４  固定部材
２６  端子台
２８  間隙
２９  配索用チューブ
３０  棚部（ガイド構造）
【図１】
2006204046.tif 000003
【図２】
2006204046.tif 000004
【図３】
2006204046.tif 000005
【図４】
2006204046.tif 000006
【図５】
2006204046.tif 000007
【図６】
2006204046.tif 000008